(57)【要約】【課題】妊娠前、妊娠中、出産後の育児期、及びその後の時期を通して、ファッション性を損なうこと無く快適かつお洒落に着用できる女性用コートを提供する。【解決手段】前身頃の中央又は中央付近に前身頃を左右に分割して開閉させる第１の開閉手段を有するコート本体と、第１の端部から第２の端部に向かって幅が広くなる帯形状であって、第１の開閉手段によってコート本体の前身頃に開口した開口部分を、前身頃に装着されて覆うダッカーとを備え、ダッカーは、コート本体のすそ側に第１の端部を向けて装着することも第２の端部を向けて装着することも可能である。【選択図】図２
2010255131.tif 000002
【特許請求の範囲】
【請求項１】
女性用コートであって、
前身頃と後身頃とを含み、当該前身頃の中央又は中央付近に当該前身頃を左右に分割して開閉させる第１の開閉手段を有するコート本体と、
第１の端部から第２の端部に向かって幅が広くなる帯形状であって、前記第１の開閉手段によって前記コート本体の前身頃に開口した開口部分を、当該前身頃に装着されて覆うダッカーとを備え、
前記ダッカーは、前記コート本体のすそ側に前記第１の端部を向けて装着することも前記第２の端部を向けて装着することも可能であることを特徴とする、女性用コート。
【請求項２】
前記ダッカーは、第１の着脱手段を含み、
前記ダッカーは、前記第１の着脱手段と前記第１の開閉手段とが連結されることによって、前記コート本体の前身頃に装着されることを特徴とする、請求項１に記載の女性用コート。
【請求項３】
前記第１の着脱手段は、線ファスナーであり、
前記第１の開閉手段は、線ファスナーであることを特徴とする、請求項２に記載の女性用コート。
【請求項４】
前記ダッカーは、第１の着脱手段を含み、
前記コート本体は、更に、前記コート本体の前身頃に開口した開口部分付近に第２の着脱手段を含み、
前記ダッカーは、前記第１の着脱手段と前記第２の着脱手段とが連結されることによって、前記コート本体の前身頃に装着されることを特徴とする、請求項１に記載の女性用コート。
【請求項５】
前記第１の着脱手段は、線ファスナーであり、
前記第２の着脱手段は、線ファスナーであることを特徴とする、請求項４に記載の女性用コート。
【請求項６】
前記コート本体は、前記後身頃の中央又は中央付近に当該後身頃を左右に分割して開閉させる第２の開閉手段を更に有し、
前記ダッカーは、更に、前記第２の開閉手段によって前記コート本体の後身頃に開口した開口部分を、当該コート本体のすそ側に前記第１の端部を向けて当該後身頃に装着されて覆うことを特徴とする、請求項２〜５の何れか１項に記載の女性用コート。
【発明の詳細な説明】
【技術分野】
【０００１】
本発明は、女性用コートに関し、より特定的には、妊娠前、妊娠中、出産後の育児期及びその後の時期を通して着用できる女性用コートに関する。
【背景技術】
【０００２】
抱っこ紐等を用いて子供を抱っこ又はおんぶした状態で、子供の上から着用するコートがある。このコートは、一般に、ママコートと呼ばれ、例えば、特許文献１に記載されている。図５は、特許文献１に記載された従来のママコート３００を示す図である。図５に示すように、従来のママコート３００は、コート本体３０１とダッカー３０２とを備える。ダッカー３０２は、帯状の布であり、例えば子供を抱っこする場合、コート本体３０１の前開き部分に装着される。このことによって、ママコート３００の胴回りのサイズは大きくなるので、ユーザは、抱っこした子供と共に、ママコート３００を着用できる。また、ユーザは、子供を抱っこ等していない通常状態では、ママコート３００をコート本体３０１単体で着用できる。
【先行技術文献】
【特許文献】
【０００３】
【特許文献１】特開平１０−１３０９１４号公報
【発明の概要】
【発明が解決しようとする課題】
【０００４】
しかしながら、上記した従来のママコート３００は、妊娠中のユーザの使用を想定していない。
【０００５】
妊娠中のユーザが従来のママコート３００のコート本体３０１単体を着用した場合、コート本体３０１の胴回りは小さいために、お腹が締め付けられる又はコート本体３０１の前開き部分を閉じることができないためにお腹を冷やしてしまうこととなる。
【０００６】
また、妊娠中のユーザがダッカー３０２を装着した従来のママコート３００を着用した場合、図５から解るように従来のママコート３００の下腹部の胴回りはあまり大きくはないので、ユーザのお腹（下腹部）が締め付けられて好ましくない。また、ダッカー３０２の存在によってママコート３００の襟刳りが極端に大きくなるので、保温性が著しく低下してお腹も身体も冷やしてしまうこととなる。また、着心地もよくない。
【０００７】
更に、妊娠中のユーザがダッカー３０２を装着した従来のママコート３００を着用した場合、見栄えが悪くファッション性を著しく損なう。具体的には、ダッカー３０２を装着した従来のママコート３００は、図５から解るように、妊娠中のユーザの下腹位置のみならず胴全体に亘って胴回りのサイズが大きいために、ファッション性を損なう。しかし、一般に、ユーザである女性にとって、妊娠期間であってもファッション性の高いお洒落な服装をすることは大変重要である。
【０００８】
以上のことから、妊娠中のユーザは、従来のママコート３００を着用することが困難であった。
【０００９】
それ故に、本発明の目的は、上記した問題を解決するものであり、妊娠前、妊娠中、出産後の育児期、及びその後の時期を通して、ファッション性を損なうこと無く快適かつお洒落に着用できる女性用コートを提供することである。
【課題を解決するための手段】
【００１０】
本発明は、女性用コートに向けられている。そして、上記目的を達成させるために、本発明の女性用コートは、前身頃と後身頃とを含み、当該前身頃の中央又は中央付近に当該前身頃を左右に分割して開閉させる第１の開閉手段を有するコート本体と、第１の端部から第２の端部に向かって幅が広くなる帯形状であって、第１の開閉手段によってコート本体の前身頃に開口した開口部分を、当該前身頃に装着されて覆うダッカーとを備え、ダッカーは、コート本体のすそ側に第１の端部を向けて装着することも第２の端部を向けて装着することも可能であることを特徴とする。
【００１１】
これにより、本発明の女性用コートは、通常時、妊娠中、子供を抱っこした時において、快適かつお洒落に着用できる。
【００１２】
また、ダッカーは、第１の着脱手段を含み、ダッカーは、第１の着脱手段と第１の開閉手段とが連結されることによって、コート本体の前身頃に装着されてもよい。
【００１３】
また、第１の着脱手段は、線ファスナーであり、第１の開閉手段は、線ファスナーであってもよい。
【００１４】
また、ダッカーは、第１の着脱手段を含み、コート本体は、更に、コート本体の前身頃に開口した開口部分付近に第２の着脱手段を含み、ダッカーは、第１の着脱手段と第２の着脱手段とが連結されることによって、コート本体の前身頃に装着されてもよい。
【００１５】
また、第１の着脱手段は、線ファスナーであり、第２の着脱手段は、線ファスナーであってもよい。
【００１６】
また、コート本体は、後身頃の中央又は中央付近に当該後身頃を左右に分割して開閉させる第２の開閉手段を更に有し、ダッカーは、更に、第２の開閉手段によってコート本体の後身頃に開口した開口部分を、当該コート本体のすそ側に第１の端部を向けて当該後身頃に装着されて覆ってもよい。
【００１７】
これにより、本発明の女性用コートは、更に子供を背負った時においても、快適かつお洒落に着用できる。
【発明の効果】
【００１８】
以上に説明した構成によって、本発明の女性用コートは、妊娠前、妊娠中、出産後の育児期、及びその後の時期を通して、ファッション性を損なうこと無く快適かつお洒落に着用できる。
【図面の簡単な説明】
【００１９】
【図１】本発明の第１の実施形態に係る女性用コート１００の通常時の着用状態を示す図
【図２】本発明の第１の実施形態に係る女性用コート１００の妊娠時の着用状態を示す図
【図３】本発明の第１の実施形態に係る女性用コート１００の抱っこ時の着用状態を示す図
【図４】本発明の第１の実施形態に係る女性用コート１００のおんぶ時の着用状態を示す図
【図５】特許文献１に記載された従来のママコート３００を示す図
【発明を実施するための形態】
【００２０】
（第１の実施形態）
図１は、第１の実施形態に係る女性用コート１００を説明するための図である。図１に示すように、女性用コート１００は、コート本体１０１とダッカー１０２とを備える。なお、図１（ａ）は、妊娠してお腹が大きい状態ではない時（以下、通常時という）のユーザが、コート本体１０１を単体で着用した場合を示し、図１（ｂ）は、ダッカー１０２を示す。
【００２１】
図１（ａ）に示すように、コート本体１０１は一般的な女性用コートと同様の形態であり、コート本体１０１の前身頃の中央又は中央付近には、前身頃を左右に分割して開口させ、また、開口した前身頃を閉口させる開閉手段１０４が設けられる。開閉手段１０４は、典型的には、線ファスナーである。
【００２２】
ダッカー１０２は、衣服に使用される布等の資材から成る。また、ダッカー１０２は、図１（ｂ）に示すように、帯形状であって、端部Ａから端部Ｂに向かって幅が広くなる形状である。また、ダッカー１０２は、端部Ｃ及び端部Ｄに、着脱手段１０３を備える。着脱手段１０３を用いて、ダッカー１０２は、コート本体１０１における前身頃が左右に開口する部分（以下、開口部分という）に装着できる。着脱手段１０３は、典型的には、線ファスナーである。
【００２３】
図１（ａ）に示すように、女性用コート１００によれば、通常時のユーザは、コート本体１０１を単体で着用することによって、一般の女性用コートと同様に、お洒落な着こなしができる。
【００２４】
図２は、妊娠してお腹が大きい時（以下、妊娠時という）のユーザが、第１の実施形態に係る女性用コート１００を着用した状態を示す図である。図２に示すように、女性用コート１００は、妊娠時に着用される場合、コート本体１０１の前身頃の開口部分にダッカー１０２が装着される。この際、ダッカー１０２の着脱手段１０３がコート本体１０１の開閉手段１０４に連結される。また、この際、図２に示すように、ダッカー１０２は、女性用コート１００のすそ側に端部Ｂが位置し、女性用コート１００の襟刳り側に端部Ａが位置する方向で、コート本体１０１に装着される。このことによって、ダッカー１０２の装着に起因する女性用コート１００の胴回りのサイズ増加は、図２に示すように、ユーザの胸位置及び上腹位置では比較的小さく、ユーザの下腹位置では比較的大きくなる。
【００２５】
以上に説明したように、図２の状態の女性用コート１００において、妊娠時のユーザの張り出した下腹位置の胴回りのサイズは大きく、一方で、妊娠時のユーザの胸位置及び上腹位置の胴回りのサイズは比較的小さい。つまり、図２の状態の女性用コート１００は、妊娠時のユーザの身体に快適にフィットする。
【００２６】
図３は、抱っこ紐等を用いて子供を抱っこした時（以下、抱っこ時という）のユーザが、第１の実施形態に係る女性用コート１００を着用した状態を示す図である。なお、抱っこ紐は、一般なものであるので、その説明は省略する。図３に示すように、女性用コート１００は、抱っこ時に着用される場合、コート本体１０１の前身頃の開口部分にダッカー１０２が装着される。この際、ダッカー１０２の着脱手段１０３がコート本体１０１の開閉手段１０４に連結される（図１を参照）。また、この際、図３に示すように、ダッカー１０２は、女性用コート１００のすそ側に端部Ａが位置し、女性用コート１００の襟刳り側に端部Ｂが位置する方向で、コート本体１０１に装着される。つまり、ダッカー１０２は、抱っこ時には、図２に示す妊娠時の着用状態に対して上下反対の向きでコート本体１０１に装着される。このことによって、図３に示す抱っこ時において、ダッカー１０２の装着に起因する女性用コート１００の胴回りのサイズ増加は、ユーザの胸位置及び上腹位置では比較的大きく、ユーザの下腹位置では比較的小さくなる。なお、図３では、抱っこした子供の顔が出るように、ダッカー１０２を折り返して端部Ｂを外側に垂らしている。
【００２７】
ここで、抱っこ紐等を用いて子供を抱っこする場合、ユーザは、一般に、ユーザの身体の比較的高い位置で子供を抱っこする。ユーザが子供を比較的高い位置で抱っこした場合、図３に示すように、ユーザの胸位置から上腹位置に子供の頭及び胴体が位置し、ユーザの下腹位置以下に子供の足が位置する。
【００２８】
このことから、抱っこ時にユーザが女性用コート１００を着用する場合、女性用コート１００の胴回りのサイズは、ユーザの胸位置から上腹位置にかけては大きなゆとりが必要であり、一方で、ユーザの下腹位置以下では大きなゆとりは必要ない。この結果として、図３に示すように、女性用コート１００は、抱っこされた子供及びユーザに快適にフィットする。
【００２９】
以上に説明したように、第１の実施形態に係る女性用コート１００は、図１に示す通常時には一般の女性用コートと同様にお洒落に着用できる。また、女性用コート１００は、図２に示す妊娠時には、ユーザの身体に快適にフィットするので、高い保温性を保ってお腹を冷やすことはなく、また、ファッション性の高いデザインにすることができる。また、女性用コート１００は、図３に示す抱っこ時には、抱っこされた子供及びユーザに快適にフィットするので、高い保温性を保って子供及びユーザを冷やすことはなく、また、ファッション性の高いデザインにすることができる。つまり、第１の実施形態に係る女性用コート１００は、妊娠前、妊娠中、出産後の育児期、及びその後の時期を通して、ファッション性を損なうこと無く快適かつお洒落に着用できる。
【００３０】
なお、着脱手段１０３及び開閉手段１０４が共に線ファスナーから成る場合、開閉手段１０４である線ファスナーのセットの一方が連結する相手の線ファスナーのセットの一方（即ち、着脱手段１０３である線ファスナーのセットの一方）は、図２の妊娠時の状態と図３の抱っこ時の状態とで、入れ替わることとなる。このことから、着脱手段１０３及び開閉手段１０４を構成する線ファスナーは、ダッカー１０２の装着方向に関わらず互いに連結できるタイプである必要がある。
【００３１】
また、ダッカー１０２の着脱手段１０３及びコート本体１０１の開閉手段１０４は、線ファスナーに限らず、点ファスナー、面ファスナー、ボタン等であってもよい。
【００３２】
また、以上では、ダッカー１０２の着脱手段１０３が、コート本体１０１の開閉手段１０４に連結される場合を説明した。しかし、ダッカー１０２の着脱手段１０３は、コート本体１０１の開閉手段１０４には連結されず、コート本体１０１に設けられたダッカー１０２装着用の着脱手段（図示せず）と連結されてもよい。
【００３３】
また、女性用コート１００の丈は、ユーザの下腹を覆うことができる長さであることが好ましい。また、女性用コート１００は、ジャケットタイプ、ブルゾンタイプ等であってもよく、また、フード等を備えてもよい。
【００３４】
また、ダッカー１０２の端部Ａ〜Ｄは、図１（ｂ）に示すような直線形状でなくてもよく、例えば、曲線形状であってもよい。
【００３５】
（第２の実施形態）
図４は、おんぶ紐等を用いて子供を背負った時（以下、おんぶ時という）のユーザが、第２の実施形態に係る女性用コート２００を着用した状態を示す図である。なお、おんぶ紐は、一般なものであるので、その説明は省略する。図４に示すように、第２の実施形態に係る女性用コート２００は、図１〜図３を用いて説明した第１の実施形態に係る女性用コート１００に対して、コート本体１０１の後身頃の中央又は中央付近に、後身頃を左右に分割して開口させ、また、開口した後身頃を閉口させる開閉手段２０４を更に設ける構成である。開閉手段２０４は、典型的には、線ファスナーである。以下では、説明の便宜のため、第２の実施形態に係る女性用コート２００を構成するコート本体をコート本体２０１という。
【００３６】
図４に示すように、女性用コート２００は、おんぶ時に着用される場合、コート本体２０１の後身頃の開口部分にダッカー１０２が装着される。この際、ダッカー１０２の着脱手段１０３（図１（ｂ）を参照）がコート本体２０１の開閉手段２０４に連結される。また、この際、図４に示すように、ダッカー１０２は、女性用コート２００のすそ側に端部Ａが位置し、女性用コート２００の襟刳り側に端部Ｂが位置する方向で、コート本体２０１に装着される。このことによって、図４に示すおんぶ時において、ダッカー１０２の装着に起因する女性用コート２００の胴回りのサイズ増加は、ユーザの胸位置及び上腹位置では比較的大きく、ユーザの下腹位置では比較的小さくなる。
【００３７】
ここで、おんぶ紐等を用いて子供を背負う場合、ユーザは、一般に、ユーザの身体の比較的高い位置で子供を背負う。ユーザが子供を比較的高い位置で背負った場合、図４に示すように、ユーザの胸位置から上腹位置に子供の頭及び胴体が位置し、ユーザの下腹位置以下に子供の足が位置する。
【００３８】
このことから、おんぶ時にユーザが女性用コート２００を着用する場合、女性用コート２００の胴回りのサイズは、ユーザの胸位置から上腹位置にかけては大きなゆとりが必要であり、一方で、ユーザの下腹位置以下では大きなゆとりは必要ない。この結果として、図４に示すように、女性用コート２００は、抱っこされた子供及びユーザに快適にフィットする。
【００３９】
以上に説明したように、第２の実施形態に係る女性用コート２００は、第１の実施形態に係る女性用コート１００と同様の効果を奏し、加えて、子供を背負う場合にも使用できる。また、女性用コート２００は、図４に示すおんぶ時において、おんぶされた子供及びユーザに快適にフィットするので、高い保温性を保って子供及びユーザを冷やすことはなく、また、ファッション性の高いデザインにすることができる。
【００４０】
なお、コート本体２０１の開閉手段２０４は、線ファスナーに限らず、点ファスナー、面ファスナー、ボタン等であってもよい。
【００４１】
また、第２の実施形態では、ダッカー１０２の着脱手段１０３は、コート本体２０１の後身頃の開閉手段２０４に連結される場合を説明した。しかし、ダッカー１０２の着脱手段１０３は、コート本体２０１の後身頃の開閉手段２０４には連結されず、コート本体２０１の後身頃に設けられたダッカー１０２装着用の着脱手段（図示せず）と連結されてもよい。
【産業上の利用可能性】
【００４２】
本発明は、女性用コート等に利用可能であり、特に、女性用コートを、妊娠前、妊娠中、出産後の育児期、及びその後の時期を通して使用したい場合等に有用である。
【符号の説明】
【００４３】
１００、２００    女性用コート
１０１、２０１    コート本体
１０２、３０２    ダッカー
１０３    着脱手段
１０４、２０４    開閉手段
３００    ママコート
３０１    コート本体
【図１】
2010255131.tif 000003
【図２】
2010255131.tif 000004
【図３】
2010255131.tif 000005
【図４】
2010255131.tif 000006
【図５】
2010255131.tif 000007